(57)【特許請求の範囲】
【請求項１】
起床時刻が予め設定されて該起床時刻を記憶する時刻記憶手段と、
覚醒を促す芳香を発する芳香剤（21）と、
該芳香剤（21）の芳香発生を調整する調整手段（20）と、
上記時刻記憶手段に記憶された起床時刻の所定時間前から上記芳香剤（21）の芳香発生量が上記起床時刻まで次第に増大するように上記調整手段（20）を制御する芳香制御手段（60）とを備え、
芳香剤（21）は、加熱されると芳香の発生量を増大する芳香剤であり、
調整手段（20）は、上記芳香剤（21）を入れる蒸発皿（24）と、電力供給により点灯発熱して上記蒸発皿（24）を加熱する照明器具（23）とにより構成され、
芳香制御手段（60）は、時刻記憶手段に記憶された起床時刻の所定時間前から上記照明器具（23）に電力を供給すると共に、該照明器具（23）への電力供給量を上記起床時刻まで次第に増大させるように構成されている
ことを特徴とする目覚まし装置。
【請求項２】
請求項１において、
蒸発皿（24）は、複数設けられる一方、
上記複数の蒸発皿（24）が配置され、照明器具（23）に近接した芳香位置（37）と照明器具（23）より離れた無芳香位置（38）とに各蒸発皿（24）を移動可能に構成された蒸発皿台（27）が設けられている
ことを特徴とする目覚まし装置。
【請求項３】
請求項２において、
蒸発皿台（27）の上部には、照明器具（23）に近接する蒸発皿（24）に対応する位置に開口（35）が形成された上記蒸発皿台（27）の蓋板（34）が設けられている
ことを特徴とする目覚まし装置。
【発明の詳細な説明】
【０００１】
【発明の属する技術分野】
本発明は、目覚まし装置に関し、特に、芳香発生量の制御対策に係るものである。
【０００２】
【従来の技術】
従来より、芳香を発散させることによって、快適な気分で目覚めるようにした目覚まし装置がある。例えば、特開２０００−１２５９２９号公報には、目覚まし設定時間の所定時間前に芳香スプレーから芳香剤を噴霧させる目覚まし機能付き芳香発生装置が開示されている。この種の装置は、時計装置とスプレー本体とノズル駆動装置とを備え、アラーム音の発信時間、噴霧開始時間、噴霧回数及び噴霧時間間隔が入力されるようになっている。そして、アラーム音の発信時間の所定時間前になると、ノズル駆動装置が駆動し、芳香剤を噴霧させる。この噴霧は、入力された噴霧時間間隔毎に行われるようになっている。
【０００３】
【発明が解決しようとする課題】
しかしながら、上記開示された装置では、一定時間間隔毎に一定量の芳香剤を噴霧するものであったために、必ずしも快適な目覚めをもたらすものではない。つまり、例えば、換気状態にある室内では、一定量の噴霧では、室内の芳香の強さが必ずしも強くなっていかないために、起床時間に快適な目覚めをもたらすような芳香の強さが得られないという問題があった。
【０００４】
本発明は、かかる点に鑑みてなされたものであり、快適な目覚めをもたらす芳香の強さを得ることを目的とするものである。
【０００５】
【課題を解決するための手段】
本発明は、覚醒に導く芳香の発生量を次第に増大させるようにしたものである。
【０００６】
具体的に、第１の解決手段は、起床時刻が予め設定されて該起床時刻を記憶する時刻記憶手段と、覚醒を促す芳香を発する芳香剤（21）と、該芳香剤（21）の芳香発生を調整する調整手段（20）と、上記時刻記憶手段に記憶された起床時刻の所定時間前から上記芳香剤（21）の芳香発生量が上記起床時刻まで次第に増大するように上記調整手段（20）を制御する芳香制御手段（60）とを備え、芳香剤（21）は、加熱されると芳香の発生量を増大する芳香剤であり、調整手段（20）は、上記芳香剤（21）を入れる蒸発皿（24）と、電力供給により点灯発熱して上記蒸発皿（24）を加熱する照明器具（23）とにより構成され、芳香制御手段（60）は、時刻記憶手段に記憶された起床時刻の所定時間前から上記照明器具（23）に電力を供給すると共に、該照明器具（23）への電力供給量を上記起床時刻まで次第に増大させるように構成されている。
【０００７】
また、第２の解決手段は、上記第１の解決手段において、蒸発皿（24）は、複数設けられる一方、上記複数の蒸発皿（24）が配置され、照明器具（23）に近接した芳香位置（37）と照明器具（23）より離れた無芳香位置（38）とに各蒸発皿（24）を移動可能に構成された蒸発皿台（27）が設けられている。
【０００８】
また、第３の解決手段は、上記第２の解決手段において、蒸発皿台（27）の上部には、照明器具（23）に近接する蒸発皿（24）に対応する位置に開口（35）が形成された上記蒸発皿台（27）の蓋板（34）が設けられている。
【０００９】
すなわち、上記第１の解決手段では、予め設定された起床時刻が時刻記憶手段に記憶される。調整手段（20）は、この記憶された起床時刻の所定時間前になると、覚醒を促す芳香を発する芳香剤（21）の芳香発生を調整する。そして、芳香制御手段（60）は、時刻記憶手段に記憶された起床時刻まで、芳香の発生量が次第に増大するように調整手段（20）を制御する。この結果、周囲の芳香の強さが次第に強くなる。覚醒を促す芳香による臭い刺激が次第に強くなることにより、就寝者は、次第に眠りが浅くなり、覚醒に導かれる。
【００１０】
また、上記第１の解決手段では、時刻記憶手段に記憶された起床時刻の所定時間前になると、照明器具（23）が電力供給を受けて点灯する。照明器具（23）が点灯すると、発熱して蒸発皿（24）を加熱する。蒸発皿（24）が加熱されると、該蒸発皿（24）に入れられた芳香剤（21）の蒸発が促進され、芳香の発生が促進される。そして、芳香制御手段（60）が照明器具（23）への電力供給量を起床時刻まで次第に増大させる。この結果、蒸発皿（24）の加熱量が次第に増大し、芳香剤（21）からの芳香の発生量が次第に増大する。したがって、周囲が次第に明るくなって就寝者への光刺激が次第に強くなると共に、周囲の芳香の強さが次第に強くなって就寝者への臭い刺激が次第に強くなる。
【００１１】
また、上記第２の解決手段では、上記第１の解決手段において、各蒸発皿（24）には、異種類の芳香剤（21）を入れておく。照明器具（23）に近接する芳香位置（37）に所望の蒸発皿（24）が位置するように、各蒸発皿（24）を移動させる。そして、照明器具（23）が点灯することにより、芳香位置（37）に位置する蒸発皿（24）に入れられた芳香剤（21）からの芳香発生が調整される。
【００１２】
また、上記第３の解決手段では、上記第２の解決手段において、芳香位置（37）の蒸発皿（24）の上部には、蓋板（34）の開口（35）が位置するために、照明器具（23）の点灯によりこの蒸発皿（24）の芳香剤（21）からの芳香発生が調整される。一方、無芳香位置（38）の蒸発皿（24）は蓋板（34）が被さっているために、この蒸発皿（24）の芳香剤（21）からは芳香が発生しない。
【００１３】
【発明の効果】
従って、上記解決手段によれば、所定の起床時刻に先立って覚醒を促すように刺激を与えると共に、覚醒を促す芳香の発生量を次第に増大させるようにしたために、芳香による臭い刺激を次第に強くさせることができる。この結果、徐々に覚醒に導くことができるために、比較的弱い刺激で目を覚まさせることができ、快適な目覚めをもたらすことができる。また、芳香の発生量を次第に増大させるようにしたために、例えば、室内が換気されている状態にある場合においても、確実に臭い刺激を次第に強くさせることができる。
【００１４】
また、上記第１の解決手段によれば、照明器具（23）を点灯発熱させて、芳香剤（21）が入った蒸発皿（24）を加熱するようにしたために、照明器具（23）に印加する電圧を調整するのみで、容易に芳香の発生量を調整することができる。つまり、芳香による臭い刺激と、照明器具（23）による光刺激とを、照明器具（23）の照度の強弱調節、つまり、照明器具（23）の印加電圧の調節のみで行うことができるので、構成の簡略化を図ることができる。
【００１５】
また、上記第２の解決手段によれば、複数の芳香剤（21）の中から所望の芳香剤（21）を選択することができるために、就寝者の好みやそのときの気分に合った芳香を選ぶことができる。
【００１６】
また、上記第３の解決手段によれば、開口（35）が形成された蓋板（34）を設けるようにしたために、使用する芳香剤（21）を確実に蒸発させることができると共に、使用しない芳香剤（21）の蒸発を防止することができる。
【００１７】
【発明の実施の形態１】
以下、本発明の実施形態を図面に基づいて詳細に説明する。
【００１８】
本実施形態１は、図１に示すように、照明の発熱によって芳香を発生させることにより、就寝者に刺激を与えて覚醒に導く目覚まし装置（10）である。該目覚まし装置（10）は、芳香機能部（20）と操作部（40）と電圧調整部（60）とを備えている。
【００１９】
上記芳香機能部（20）は、上面が開口した透明容器（22）と電球（23）と蒸発皿（24）とを備え、芳香発生を調整する調整手段を構成している。電球（23）は、透明容器（22）に収納されている。電球（23）は、電力の供給を受けると点灯して発熱する照明器具を構成している。
【００２０】
蒸発皿（24）は、電球（23）に近接して透明容器（22）の上面に配置されている。この蒸発皿（24）は、芳香剤である芳香オイル（21）を入れるための皿である。蒸発皿（24）は、熱伝導性の良い素材により構成されている。芳香オイル（21）は、覚醒に導く芳香を発する一方、加熱によって芳香の発生量を増大させるようになっている。つまり、電球（23）が、電力の供給を受けて点灯すると共に発熱する。そして、電球（23）の熱が蒸発皿（24）を加熱するために、芳香オイル（21）が加熱されて芳香の発生を促進させ、該芳香の発生量を増大させるようになっている。
【００２１】
上記操作部（40）は、時刻設定部（41）と、現在の時刻又は起床時刻を表示する時刻表示部（48）と、アラームスイッチ（49）と、音発生部（50）と、照明スイッチ（51）と、スリープボタン（52）とを備えている。
【００２２】
上記時刻設定部（41）は、起床時刻を設定するためのものであり、時計ボタン（42）と設定ボタン（43）と時ボタン（44）と分ボタン（45）とを備えている。時刻設定部（41）は、時刻表示部（48）が起床時刻を表示しているときに時ボタン（44）及び分ボタン（45）が押されることにより、所望の起床時刻が分単位で選択されるように構成されている。時刻設定部（41）により設定された起床時刻は、操作部（40）に内蔵されている時刻記憶手段である時刻記憶部（図示せず）に記憶されるようになっている。
【００２３】
上記時刻表示部（48）は、時計ボタン（42）が押されると現在の時刻を表示し、設定ボタン（43）が押されると起床時刻を表示するように構成されている。
【００２４】
上記アラームスイッチ（49）は、起床時刻に目覚まし音を発するアラームモードをオンさせるスイッチに構成されている。
【００２５】
上記音発生部（50）は、図示しないスピーカが内蔵され、音発生手段を構成している。音発生部（50）は、アラームモードがオンされた状態で起床時刻になると、目覚まし音を発するように構成されている。この目覚まし音は、比較的小さな音に設定されている。
【００２６】
上記照明スイッチ（51）は、押される度に電球（23）のオン又はオフを切り換えるスイッチに構成されている。つまり、照明スイッチ（51）が押されると、所定電圧を電球（23）に印加して所定の照度で電球（23）を点灯させるようになっている。
【００２７】
上記スリープボタン（52）は、覚醒促進モードをオンさせるボタンに構成されている。
【００２８】
上記電圧調整部（60）は、芳香制御手段（60）を構成している。つまり、電圧調整部（60）は、覚醒促進モードがオンされると、起床時刻の所定時間前から上記電球（23）に電圧を印加すると共に、該電球（23）への印加電圧を上記起床時刻まで次第に増大させるように構成されている。電球（23）が点灯すると発熱するために、蒸発皿（24）を電球（23）に近接して配置することにより、電球（23）の発熱によって蒸発皿（24）を加熱することができる。つまり、電球（23）の印加電圧を調整することで、容易に芳香オイル（21）の蒸発量を調整することができる。
【００２９】
更に、印加電圧を次第に増大させることによって、電球（23）の照度も次第に増大させることができる。即ち、覚醒に導く芳香の発生量を次第に増大させると共に、電球（23）の照度を次第に増大させることにより、就寝者に臭い刺激及び光刺激を徐々に強く与え、就寝者の眠りを徐々に浅くして、覚醒に導くようになっている。
【００３０】
尚、芳香の発生量を次第に増大させるので、常時換気されている睡眠カプセルに配置して使用することもできる。つまり、室内が常時換気されている状態であっても、芳香の発生量を次第に増大させることによって、室内の芳香強さを次第に強くすることができる。したがって、このような環境下においても、就寝者を覚醒に導くことができる。
【００３１】
−運転動作−
上記目覚まし装置（10）の運転動作について説明する。
【００３２】
操作部（40）の時刻表示部（48）には、現在の時刻が表示されている。時刻設定部（41）の設定ボタン（43）を押すと、時刻表示部（48）に起床時刻が表示される。そして、時ボタン（44）及び分ボタン（45）を押して所望の起床時刻を設定する。そして、アラームスイッチ（49）及びスリープボタン（52）を押すと、アラームモードがオンされると共に、覚醒促進モードがオンされる。
【００３３】
起床時刻の所定時間前になると、上記電圧調整部（60）が電球（23）への電圧印加を開始する。電球（23）に電圧を印加することにより、電球（23）が点灯して周囲を照らすと共に発熱する。電球（23）が発する熱が蒸発皿（24）を加熱し、この熱が伝導して芳香オイル（21）を加熱し、覚醒を促す芳香の発生が促進される。
【００３４】
そして、電球（23）への印加電圧が起床時刻まで次第に増大する。したがって、室内の照度が次第に増大すると共に電球（23）の発熱量が次第に増大する。この結果、蒸発皿（24）の加熱量が増大することにより、芳香オイル（21）の加熱量が増大するので、覚醒を促す芳香の発生量が次第に増大する。芳香の発生量が増大すると、周囲の芳香の強さが次第に強くなる。この結果、就寝者に与えられる光刺激と臭い刺激とが次第に強くなるために、就寝者の眠りが次第に浅くなり、覚醒に導かれる。
【００３５】
そして、起床時刻になると、目覚まし音が鳴り、就寝者に音の刺激を与えることにより、就寝者を目覚めさせる。
【００３６】
−実施形態１の効果−
本実施形態１によれば、所定の起床時刻に先立って覚醒を促すように刺激を与えると共に、覚醒を促す芳香の発生量を次第に増大させるようにしたために、芳香による臭い刺激を次第に強くさせることができる。この結果、徐々に覚醒に導くことができるために、比較的弱い刺激で目を覚まさせることができ、快適な目覚めをもたらすことができる。また、芳香の発生量を次第に増大させるようにしたために、例えば、室内が換気されている状態にある場合においても、確実に臭い刺激を次第に強くさせることができる。
【００３７】
また、起床時刻になると目覚まし音を発するようにしたために、就寝者を確実に目覚めさせることができる。
【００３８】
また、電球（23）を点灯発熱させて、芳香オイル（21）が入った蒸発皿（24）を加熱するようにしたために、電球（23）に印加する電圧を調整するのみで、容易に芳香の発生量を調整することができる。つまり、芳香による臭い刺激と、電球（23）による光刺激とを、電球（23）の照度の強弱調節、つまり、電球（23）の印加電圧の調節のみで行うことができるので、構成の簡略化を図ることができる。
【００３９】
【発明の実施の形態２】
本実施形態２に係る目覚まし装置（10）は、図２に示すように、複数種類の芳香オイル（21）から所望の芳香オイル（21）を選択可能に構成されている。
【００４０】
芳香機能部（20）は、ケーシング（26）と電球（23）と蒸発皿（24）とターンテーブル（27）と蒸発防止蓋（34）とを備えている。
【００４１】
上記ケーシング（26）は、上面が開口した椀状に形成されている。ケーシング（26）は、駆動部（28）が収納されている。駆動部（28）は、駆動モーター（29）と、該駆動モーター（29）から上方に向かって延びるモーター軸（30）とにより構成されている。
【００４２】
上記電球（23）は、ケーシング（26）の側方に固定された透明容器（22）に収納されている。透明容器（22）は、上面が開口した容器である。
【００４３】
上記ターンテーブル（27）は、図２及び図３に示すように、水平に配置された円盤状に構成されている。ターンテーブル（27）は、中央に貫通孔（32）が形成されて、上記モーター軸（30）の先端に嵌め込まれている。そして、ターンテーブル（27）は、駆動モーター（29）の駆動によって回転するように構成されている。上記ターンテーブル（27）の蒸発皿（24）は、貫通孔（32）を取り囲むように等間隔に４つ設けられている。この蒸発皿（24）は、芳香オイル（21）を入れるための皿であり、各蒸発皿（24）には、異種類の芳香オイル（21）が入れられている。
【００４４】
上記蒸発皿（24）は、上端がターンテーブル（27）の上面に一致し、下端がターンテーブル（27）の下面に一致すように嵌め込まれている。蒸発皿（24）は、熱伝導性の良い素材により構成されている。蒸発皿（24）は、その１つが電球（23）の真上に位置する芳香位置（37）に配置されている。ターンテーブル（27）は、回転することによって電球（23）に近接した芳香位置（37）と、電球（23）より離れた無芳香位置（38）とに蒸発皿（24）を移動させるように構成されている。
【００４５】
蒸発防止蓋（34）は、図２及び図４に示すように、ターンテーブル（27）と同径の円盤状に形成されている。蒸発防止蓋（34）は、ターンテーブル（27）の上面に配置され、上記ケーシング（26）に固定されている。つまり、蒸発防止蓋（34）は回転しない。蒸発防止蓋（34）は、上下に貫通する開口（35）が形成されている。開口（35）は、蒸発皿（24）の上端径と同径に形成され、上記芳香位置（37）に位置する蒸発皿（24）の位置に対応した位置に設けられている。つまり、芳香位置（37）の蒸発皿（24）に入った芳香オイル（21）から芳香が発生する一方、無芳香位置（38）の蒸発皿（24）に入った芳香オイル（21）からは芳香が発生しない。
【００４６】
操作部（40）には、芳香選択スイッチ（55）が設けられている。該芳香選択スイッチ（55）は、芳香オイル（21）を選択するためのスイッチである。芳香選択スイッチ（55）は、芳香機能部（20）の駆動モータ（29）を駆動させることによって、ターンテーブル（27）を９０度回転させるスイッチに構成されている。芳香選択スイッチ（55）を繰り返し押すことにより、ターンテーブル（27）を回転させて、所望の芳香オイル（21）が入った蒸発皿（24）を芳香位置（37）に位置させることができる。操作部（40）のその他の構成は、実施形態１における操作部（40）の構成と同様である。
【００４７】
−運転動作−
アラームスイッチ（49）及びスリープボタン（52）を押すと、アラームモードがオンされると共に、覚醒促進モードがオンされる。そして、芳香選択スイッチ（55）を繰り返し押すことにより、ターンテーブル（27）を回転させて、所望の芳香オイル（21）が入った蒸発皿（24）を芳香位置（37）に位置させる。
【００４８】
起床時刻の所定時間前になると、電圧調整部（60）が電球（23）への電圧印加を開始する。電球（23）に電圧を印加することにより、電球（23）が点灯して周囲を照らすと共に発熱する。電球（23）が発する熱が芳香位置（37）に位置する蒸発皿（24）を加熱し、この熱が伝導して芳香オイル（21）を加熱し、覚醒を促す芳香の発生が促進される。無芳香位置（38）に位置する蒸発皿（24）には蒸発防止蓋（34）が被さっているために、これら蒸発皿（24）に入った芳香オイル（21）からは芳香が発生しない。
【００４９】
そして、電球（23）への印加電圧が起床時刻まで次第に増大する。したがって、室内の照度が次第に増大すると共に電球（23）の発熱量が次第に増大する。この結果、蒸発皿（24）の加熱量が増大することにより、芳香オイル（21）の加熱量が増大するので、覚醒を促す芳香の発生量が次第に増大する。芳香の発生量が増大すると、周囲の芳香の強さが次第に強くなる。この結果、就寝者に与えられる光刺激と臭い刺激とが次第に強くなるために、就寝者の眠りが次第に浅くなり、覚醒に導かれる。
【００５０】
そして、起床時刻になると、目覚まし音が鳴り、就寝者に音の刺激を与えることにより、就寝者を目覚めさせる。
【００５１】
−実施形態２の効果−
本実施形態２によれば、複数の芳香オイル（21）の中から所望の芳香オイル（21）を選択することができるために、就寝者の好みやそのときの気分に合った芳香を選ぶことができる。
【００５２】
また、開口（35）が形成された蒸発防止蓋（34）を設けるようにしたために、使用する芳香オイル（21）を確実に蒸発させることができると共に、使用しない芳香オイル（21）の蒸発を防止することができる。
【００５３】
その他の構成、作用及び効果は実施形態１と同様である。
【００５４】
＜発明のその他の実施の形態＞
上記各実施形態について、操作部（40）は、音発生部（50）を省略する構成にしてもよい。
【００５５】
また、上記各実施形態について、芳香発生量を調整するのに、電球（23）の発熱によって蒸発皿（24）を加熱する構成には限られない。
【００５６】
また、上記実施形態２について、蒸発防止蓋（34）を省略する構成にしてもよい。
【図面の簡単な説明】
【図１】実施形態１に係る目覚まし装置の全体構成を示す図である。
【図２】実施形態２に係る目覚まし装置の全体構成を示す図である。
【図３】実施形態２におけるターンテーブルの上面を示す図である。
【図４】実施形態２における蒸発防止蓋の上面を示す図である。
【符号の説明】
（20）    芳香機能部
（21）    芳香オイル
（23）    電球
（24）    蒸発皿
（27）    ターンテーブル
（34）    蒸発防止蓋
（35）    開口
（37）    芳香位置
（38）    無芳香位置
（50）    音発生部
（60）    電圧調整部
【図１】
0003823765.tif 000002
【図２】
0003823765.tif 000003
【図３】
0003823765.tif 000004
【図４】
0003823765.tif 000005